(57)【要約】【課題】漁獲用篭において、捕食者であるタコ類と、魚類、被捕食者である甲殻類とを、捕食行為がなされることなく、同一篭での分離捕獲を可能にする。【解決手段】篭本体１２と、篭本体１２内の互いにに分離された第１分室１３及び第２分室１４［１４Ａ，１４Ｂ］と、篭本体１２の入口１５から内部に向かって開口が狭くなるように設けられ、第１分室１３に連通する漏斗状部１６［１６Ａ，１６Ｂ］と、漏斗状部１６の内側面に、第２分室１４に連通するように設けられたスリット部１７とを有する。【選択図】図２
2010268752.tif 000002
【特許請求の範囲】
【請求項１】
篭本体と、
前記篭本体内の互いに分離された第１分室及び第２分室と、
前記篭本体の入口から内部に向かって開口が狭くなるように設けられ、前記第１分室に連通する漏斗状部と、
前記漏斗状部の内側面に、前記第２分室に連通するように設けられたスリット部とを有する
ことを特徴とする分離漁獲用篭。
【請求項２】
前記篭本体の全体が網状体で形成されている
ことを特徴とする請求項１記載の分離漁獲用篭。
【請求項３】
前記第１分室が甲殻類、魚類の捕獲室であり、
前記第２分室がタコ類の漁獲室である
ことを特徴とする請求項２記載の分離漁獲用篭。
【請求項４】
複数の前記第２分室と、該第２分室数と同じ複数の前記漏斗状部とを有する
ことを特徴とする請求項３記載の分離漁獲用篭。
【請求項５】
前記スリット部の幅が甲殻類の甲幅以下で、タコ類の頭幅以上に設定された
ことを特徴とする請求項４記載の分離漁獲用篭。
【発明の詳細な説明】
【技術分野】
【０００１】
本発明は、海中に配置して甲殻類、魚類、タコ類などを捕獲する分離漁獲用篭に関する。
【背景技術】
【０００２】
現在、世界中で広くしようされている漁獲用篭、例えば雑魚篭は、甲殻類、魚類、軟体類などを同一篭で同時に捕獲できるように構成されている。図１５に、市販されている従来の雑魚篭の一例を示す。この雑魚篭１は、リング状（円形）の底部支持体２と、底部支持体２の中央に差し渡わたされた線状の中央支持体３と、両端が相対向する中央支持体３と底部支持体２との連結部７に連結して、左右対称に円弧を描くように設けられた半円支持体４、５とを有する。さらに、雑魚篭１の一部が開閉可能とするように、底部支持対２に近接するように両端が連結部７に連結した半円状の開閉用支持体８が形成される。半円支持体４，５及び開閉支持体８は連結部７において、回動自在に取り付けられる。そして、雑魚篭１は、これら各支持体２，３、４及び５を取り囲むように、網状体５を架張し、左右対称位置に雑魚を導くための漏斗状部６Ａ、６Ｂを設けて構成される。漏斗状部６Ａ、６Ｂは、入口から内部に向かって開口が狭くなるように形成される。雑魚篭１には、雑魚篭の設置、引き上げ時に用いるロープ７が取り付けられている。雑魚篭が閉じた状態では、開閉支持体８が底部支持体５に留め金１０を介して係止されている。雑魚篭を開くときは、留め金１０外し、開閉支持体８及び半円支持体４，５を、連結部７を中心に回動するようになされる。
【０００３】
この雑魚篭１は、餌を入れた状態で海中に配置される。甲殻類、魚類、タコ類は、入口の漏斗状部６Ａ、６Ｂから篭１内に侵入し、一旦侵入した後は出られず、捕獲される。
【０００４】
特許文献１には、海中へ吊り下げ可能で魚類を捕獲できるようにした漁獲用海中網かご装置の例が開示されている。
【先行技術文献】
【特許文献】
【０００５】
【特許文献１】特開２００５−７３６３７号公報
【発明の概要】
【発明が解決しようとする課題】
【０００６】
ところで、上述の雑魚篭１では、甲殻類、魚類、軟体類などを同時に捕獲することが出来るが、反面、例えば先に入り篭した甲殻類（エビ、カニ類）が、後で入り篭した捕食者であるタコ類により捕食されることがしばしば起こる。これは、雑魚篭１の漁獲機構、特に、雑魚が侵入する入口の漏斗状部６Ａ、６Ｂに選択性が乏しいことが原因している。
【０００７】
本発明は、上述の点に鑑み、捕食者であるタコ類と、魚類、被捕食者である甲殻類とを、捕食行為がなされることなく、同一篭での分離捕獲を可能にした分離漁獲用篭を提供するものである。
【課題を解決するための手段】
【０００８】
本発明に係る分離漁獲用篭は、篭本体と、篭本体内の互いにに分離された第１分室及び第２分室と、篭本体の入口から内部に向かって開口が狭くなるように設けられた、第１分室に連通する漏斗状部と、漏斗状部の内側面に、第２分室に連通するように設けられたスリット部とを有することを特徴とする。
【０００９】
本発明の分離漁獲用篭では、篭本体内が、第１分室と第２分室に分離されている。甲殻類、魚類などは、篭本体の入口から漏斗状部を通じて第１分室に侵入して捕獲される。タコ類は、篭本体の入口から漏斗状部に侵入した後、漏斗状部の出口に行く前に、漏斗状部の内側面に設けられたスリット部を通じて第２分室に侵入して捕獲される。
【発明の効果】
【００１０】
本発明に係る分離漁獲用篭によれば、第１分室と第２分室に分離されて、魚類、甲殻類が第１分室に捕獲され、タコ類が第２分室に捕獲されるので、甲殻類はタコ類に捕食されることがない。従って、捕食行為がなされることなく、同一篭で捕食者であるタコ類と、魚類、被捕食者である甲殻類とを分離して捕獲することができる。
【図面の簡単な説明】
【００１１】
【図１】本発明の係る分離漁獲用篭の第１実施の形態を示す概略斜視図である。
【図２】図１の垂直断面図である。
【図３】図１の水平断面図である。
【図４】図１の入口側から見た垂直断面図である。
【図５】第１実施の形態に係る分離漁獲用篭を開いた状態の概略斜視図である。
【図６】本発明の分襟獲用篭の使用方法の説明図である。
【図７】Ａ，Ｂ  イイダコの行動特性の検証に用いた網地スリット板の正面図、実験水槽の斜視図である。
【図８】イイダコのスリット部への接近・接触行動を示す行動説明図（その１）である。
【図９】イイダコのスリット部の探索行動を示す行動説明図（その２）である。
【図１０】イイダコのスリット部の通過行動を示す行動説明図（その３）である。
【図１１】本発明の係る分離漁獲用篭の第２実施の形態であって、その開状態を示す概略斜視図である。
【図１２】本発明の係る分離漁獲用篭の第２実施の形態であって、その他部の開状態を示す要部の概略平面図である。
【図１３】本発明の係る漁獲用篭の第３実施の形態を示す概略断面図である。
【図１４】図１３の入口から見た垂直断面図である。
【図１５】従来の雑魚篭の概略斜視図である。
【発明を実施するための形態】
【００１２】
以下、図面を参照して本発明の実施の形態を説明する。
【００１３】
［第１実施の形態］
図１〜図３に、本発明に係る分離漁獲用篭の第１実施の形態を示す。本実施の形態に係る分離漁獲用篭１１は、篭本体１２と、篭本体１２の内部で互いに分離された第１分室１３及び第２分室１４と、篭本体１２の入口１５より内部に向かって開口が狭くなるように設けられ、第１分部に連通する漏斗状部１６と、漏斗状部１６の内側面に、第２分室１４に連通するように設けられたスリット部１７とを有して構成される。
【００１４】
篭本体１２は、リング状（円形）の底部支持体２１と、底部支持体２１の相対向する部位の連結部２５［２５Ａ，２５Ｂ］に両端がそれぞれ回動可能に連結されて左右対称に円弧を描くように設けられた半円支持体２２［２２Ａ，２２Ｂ，２２Ｃ，２２Ｄ］と有する。そして、篭本体１２は、これら各支持体２１、２２を取り囲むように、網状体２３を架張して形成される。底部支持体２１は、線状体を円形に曲げて形成される。左右対称の半円支持体２２［２２Ａ，２２Ｂ，２２Ｃ，２２Ｄ］は、線状体を半円形に曲げて形成される。底部支持体２１と半円支持体２２との連結部２５［２５Ａ，２５Ｂ］は、リング状の底部支持体２１とその中心を通る線との交わる部位に相当する。なお、図示しないが、連結部２５Ａ、２５Ｂに両端が連結され、底部支持体２１に差し渡るような線状支持体を設けることもできる。
【００１５】
網状体２３は、底部支持体２１に架張した網状体２３Ａと、左右対称の半円支持体２２［２２Ａ，２２Ｂ，２２Ｃ，２２Ｄ］に架張した網状体２３Ｂとを有する。後述するように、分離漁獲用篭１１が閉じた状態では、両半円支持体２２Ａ及び２２Ｄを底部支持体２１に対して留め金２６［２６Ａ，２６Ｂ］を介して係止される（図１参照）。分離漁獲用篭１１を開くときは、留め金２６［２６Ａ，２６Ｂ］を外して、左右の半円支持体２２Ａ及び２２Ｄを回動させ、網状体２３Ｂを折りたたむようにして中央に集めるようになされる（図５参照）。この場合、両半円支持体２２Ａと２２Ｄが開閉支持体に相当する。
【００１６】
底部支持体２１及び半円支持体２２を形成する線状体は、弾性を有する材料、あるいは変形し難い材料、例えば合成樹脂材、金属材などで形成することができる。網状体２３は、両網状体２３Ａと２３Ｂで囲まれた内部に捕獲用の空室が形成されるように、内部空間を形成して架張される。網状体２３［２３Ａ，２３Ｂ］は、糸または針金を編んで形成したもので形成することができる。例えば、網状体２３としては、化学繊維糸を編んだ網、あるいは金網などを用いることができる。
【００１７】
漏斗状部１６は網状体で形成され、その入口１５及び出口１８にリング状の支持部１９Ａ、１９Ｂが取り付けられる。篭本体１２の入口１５は複数設け、漏斗状部１６も入口１５の数に対応して複数設けることができる。本例では、左右対称位置に２つの入口１５が設けられ、これらの入口１５に連続して２つの漏斗状部１６［１６Ａ，１６Ｂ］が設けられる。
【００１８】
第１分室１３は、篭本体１２の内部空間の少なくとも中央領域に形成される。すなわち、この第１分室１３は、左右対称に設けられた漏斗状部１６Ａ、１６Ｂの出口１８に連通した中央領域を有して形成される。
【００１９】
第２分室１４は、漏斗状部１６の数に対応して単数あるいは複数設けられる。換言すれば、複数の第２分室１４を設けるときは、第２分室数と同じ複数の漏斗状部１６が設けられる。本例では、２つの漏斗状部１６Ａ、１６Ｂに対応して２つの第２分室１４Ａ、１４Ｂが設けられる。２つの第２分室１４Ａ、１４Ｂは、篭本体１２の内部空間において、中央領域の第１分室１３を挟んで左右の領域に形成される。第２分室１４Ａ、１４Ｂと、第１分室１３との間には、両者を分離するための網状体からなる仕切り部２４が形成される。網状体の仕切り部２４は、底部の網状体２３Ａに接するように形成されるも、底部の網状体２３Ａに固定されてない。
【００２０】
各漏斗状部１６Ａ、１６Ｂの各スリット部１７は、対応する第２分室１４Ａ、１４Ｂに連通しており、従って、仕切り部２４により第１分室１３とは分離され、第１分室１３に連通していない。仕切り部２４は、図４に示すように、漏斗状部１６の出口縁に連続して、且つ篭本体１２内部空間を漏斗状部１６を境に上下２分割するように形成することができる。これによって、第１分室１３は、内部空間の中央領域から漏斗状部１６Ａ、１６Ｂを境に上半分の領域に延長した領域となる。
【００２１】
一方、漏斗状部１６［１６Ａ，１６Ｂ］の内側面に形成されたスリット部１７は、甲殻類、魚類などが通過不可能で、タコ類のみが通過可能な寸法形状に形成される。スリット部１７は、漏斗状部１６の内側面のうち、下側面に形成することができる。このスリット部１７の寸法形状と、スリット部に対するタコ類の行動特性については、後述する。
【００２２】
篭本体１２には、分離漁獲用篭１１の設置、引き上げ時に用いるロープ２７が取り付けられている。
【００２３】
次に、図１、図５及び図６を用いて、第１実施の形態に係る分離漁獲用篭１１の使用方法を説明する。分離漁獲用篭１１を内部に餌を入れた状態で海中に沈める。餌は、第１分室１４Ａ及び第２分室１４Ｂのそれぞれに入れる。分離漁獲用篭１１は、図１に示すように、留め金２６Ａ及び２６Ｂを介して両半円支持体２２Ａ及び２２Ｄを底部支持体２１に係止することにより、閉状態になる。
【００２４】
図６に示すように、えび、しゃこ、かに等の甲殻類３７、魚類３８は、入口１５から漏斗状部１６［１６Ａ，１６Ｂ］を通り、第１分室１３に侵入する。第１部分室１３内に一旦侵入した後は出られず、甲殻類３７、魚類３８は第１分室１３内に捕獲される。タコ類３６は、入口１５から漏斗状部１６［１６ａ，１６Ｂ］に入る。漏斗状部１６にスリット部１７が形成されていることにより、タコ類３６は、このスリット部１７内に侵入し、第２分室１４［１４Ａ，１４Ｂ］内に落下して捕獲される。タコ類３６は、一旦第２分室１４［１４Ａ，１４Ｂ］に侵入したならば、上方のスリット部１７をすり抜けることができない。
【００２５】
第１分室１３と第２分室１４［１４Ａ，１４Ｂ］は、仕切り部２４により分離されているので、第１分室１３に捕獲された甲殻類３７、魚類３８と、第２分室１４Ａ，１４Ｂに捕獲されたタコ類３６とが混ざり合うことがない。甲殻類３７は、タコ類３６に捕食されることがない。
【００２６】
甲殻類３７、魚類３８、タコ類３６を捕獲したならば、分離漁獲用篭１１を引き上げ、図５に示すように、篭本体１２を開き、捕獲した甲殻類３７、魚類３８、タコ類３６を取り出す。すなわち、留め金２５Ａ、２５Ｂを外し、両半円支持体２２Ａ及び２２Ｄを、連結部２５Ａ及び２５Ｂを中心に両側から回動し、各半円支持体２２Ａ〜２２Ｄを中央に集めることにより、網状態２３Ｂが折りたたまれて、第１分室１３及び第２分室１４［１４Ａ，１４Ｂ］が開放される。つまり、篭本体１２が開き、捕獲したものを取り出すことができる。
【００２７】
次に、スリット部１７の寸法形状と、スリット部１７に対するタコ類の行動特性について説明する。タコ類は、スリット部があると、このスリット部を自発的にすり抜ける行動特性がある。実験では、長崎県大村湾で捕獲したイイダコを使用した。図７Ａに示すように、複数のスリット部１７Ａ、１７Ｂ、１７Ｃ及び１７Ｄを形成した網地スリット板３１を用意する。網地スリット板３１の寸法は、縦２０ｃｍ×横３５ｃｍである。スリット部１７Ａは縦８０ｍｍ×横２５ｍｍ、スリット部１７Ｂは縦８０ｍｍ×横３０ｍｍである。スリット部１７Ｃは縦８０ｍｍ×横３５ｍｍ、スリット部１７Ｄは縦８０ｍｍ×横４０ｍｍである。
【００２８】
水温１４〜２０℃、塩分３．３％、照度１４０ルックス（ｌｘ）の実験用の水槽（以下、実験水槽という）３２（図７Ｂ参照）を用意する。実験水槽３２内には、直径６ｃｍ×長さ１０ｃｍの塩化ビニル製パイプによる巣穴３０が配置される。その前に網地スリット板３１が配置される。タコは巣穴３０に向かって移動する性質がある。飼育水槽内にイイダコ３３を放ち、３０時間以上、馴致する。飼育水槽で３０時間以上馴致した比較的大きいイイダコを実験水槽３２で２時間馴致した後、実験を開始する。
【００２９】
図８に示すように、巣穴３０及び網地スリット板３１が実験水槽３２内に配置されている。イイダコ３３は、スリット部１７［１７Ａ〜１７Ｂ］へ近接・接触行動を起す。次に、図９に示すように、イイダコ３３は、スリット部１７［１７Ａ〜１７Ｂ］の探索行動に出る。次に、図１０に示すように、イイダコ３３は、すり抜けられる例えばスリット部１７Ｃを通過する。
【００３０】
このように、タコ類は、条件に合ったスリット幅を有するスリット部１７が存在すると、このスリット部１７に侵入し通過するという、行動特性を有する。本実施の形態の分離漁獲用篭１１は、このタコ類の行動特性を利用して、タコ類と、甲殻類、魚類を分離漁獲する。
【００３１】
タコ類が通過するスリット部１７においては、特に、スリット幅Ｗがタコ類の頭幅以上であればタコ類がスリット部１７を通過する。スリット部１７の長さＬは制限がなく、タコ類が通過できる適当な長さがあれば良い。
【００３２】
本実施の形態では、漏斗状部１６Ａ、１６Ｂに設けるスリット部１７として、スリット幅Ｗがタコ類が通過可能な寸法以上で甲殻類が通過できない寸法に設定される。より詳しくは、スリット幅Ｗは、タコ類の頭幅以上で、甲殻類の甲幅以下に設定される。
【００３３】
例えば、大村湾でのイイダコ及びしゃこを捕獲する場合には、スリット部１７のスリット幅Ｗを、３０ｍｍ以上で、４０ｍｍ以下に設定される（３０ｍｍ≦Ｗ≦４０ｍｍ）。好ましくは４０ｍｍに設定される。スリット幅Ｗが３０ｍｍより小さいと、大きなイイダコは通過することが出来ず、第１分室１３へ侵入してしまう。スリト幅Ｗが４０ｍｍであると、大きなイイダコもリット部１７を通過して第２分室１４へ侵入し捕獲することができる。スリット幅Ｗが４０ｍｍを越えると、甲殻類のしゃこ、伊勢えび、かに等がスリット部１７を通過してタコ類を捕獲する第２分室１４へ侵入してしまう。
【００３４】
上例のスリット幅Ｗの具体的な数値範囲は、大村湾に適したスリット部１７のスリット幅である。その他の漁場でも捕獲すべきタコの種類、甲殻類の種類に応じてスリット部１７の最適なスリット幅Ｗが設定される。例えば外洋域で真タコと伊勢えびを捕獲する場合には、真タコ及び伊勢えびの両捕獲に適したスリット幅が設定される。
【００３５】
上述の第１実施の形態に係る分離漁獲用篭１１によれば、同一篭で、捕食者であるタコ類３６と、被捕食者である甲殻類（エビ、カニ、しゃこ類）３７、魚類３８とを、同時に、且つ捕食行動を起させることなく、捕獲することができる。
【００３６】
［第２実施の形態］
図１１及び図１２に、本発明に係る分離漁獲用篭の第２実施の形態を示す。本実施の形態に係る分離漁獲用篭４１は、特に分離漁獲用篭の開閉機構を第１実施の形態と異ならして構成される。すなわち、本実施の形態に係る分離漁獲用篭４１は、半円支持体２２Ｄを底部支持体２１に固定し、半円支持体２２Ａのみを留め金２６Ａの着脱により、底部支持体２１に対して開閉可能に配置される。一方、第２分室１４Ｂ側の底部の網状体２３Ａの一部に、ファスナー構造、あるいは平素は弾性力で閉じていて、手などによる外力を加えたときに弾性力に抗して開くような構造、等の開閉機構４２が設けられる。その他の構成は、第１実施の形態で説明したと同様であるので、重複説明を省略する。
【００３７】
第２実施の形態に係る分離漁獲用篭４１は、半円支持体２２Ａを留め金２６Ａを介して底部支持体２１に係止して閉状態にする。そして、第１実施の形態で説明したと同様にして、タコ類と、甲殻類及び魚類を分離して同一篭内に捕獲する。次に、篭４１を開くときは、留め金２６Ａを外して、半円支持体２２Ａを他の半円支持体２２Ｂ、２２Ｃと共に、反対側の半円支持体２２Ｄに重なるように回動して網状体２３Ｂを開く、これにより第１分室１３内の甲殻類及び魚類が取り出され、第２分室１４Ａ内のタコ類を取り出すことができる。一方、第２分室１４Ｂの底部の開閉機構４２を、図１２の鎖線で示すように、開き、これより第２分室１４Ｂに捕獲されたタコ類を取り出すことができる。
【００３８】
第２実施の形態に係る分離漁獲用篭４１によれば、第１実施の形態と同様に、同一篭で、捕食者であるタコ類と、被捕食者である甲殻類（エビ、カニ、しゃこ類）、魚類とを、同時に、且つ捕食行動を起させることなく、捕獲することができる。
【００３９】
分離漁獲用篭の開閉機構については、第１、第２実施の形態で説明した構造以外にも、種々の構造を採ることができる。第１分室及び第２分室を個別に開かせる構造、あるいは第１分室及び第２分室を一括して開かせる構造など、種々構成成することができる。
【００４０】
［第３実施の形態］
図１３及び図１４に、本発明に係る分離漁獲用篭の第３実施の形態を示す。本実施の形態に係る分離漁獲用篭４４は、第１分室１３と第２分室１４［１４Ａ，１４Ｂ］を分離する仕切り部２４の構成を第１実施の形態と異ならして構成される。すなわち、本実施の形態においては、仕切り部２４が漏斗状部１６Ａ、１６Ｂの出口周縁に連続して、且つ篭本体１２の内部空間の底面及び上面にわたって形成して構成される。従って、第１分室１３は、内部空間の中央領域で形成され、第２分室１４１Ａ，１４Ｂ］は、内部空間の中央領域を挟んで左右の領域に形成されることになる。なお、スリット部１７は、漏斗状部１６内の下面に形成するのが好ましいが、図１４の鎖線で示すように、両側面にスリット部１７を設けることも可能である。計３つのスリット部１７を設けてもよい。
その他の構成は、第１実施の形態で説明したと同様であるので、重複説明を省略する。
【００４１】
第３実施の形態に係る分離漁獲用篭４４においても、第１実施の形態で説明したと同様に、同一篭で、捕食者であるタコ類と、被捕食者である甲殻類、魚類とを、同時に、且つ捕食行動を起させることなく、捕獲することができる。
【００４２】
上例では、分離漁獲用篭の全体を網あるいは金網などの網状体で形成したが、少なくとも外側の一部あるいは全部を堅牢体で構成することも可能である。例えば、外側を木箱あるいは木枠で覆うようにすることも可能である。木箱とした場合にも、木箱に海水が通り抜ける多数の貫通孔を設けることが好ましい。このように、外側を堅牢体で構成するときは、例えば岩場などが多い海中に分離漁獲用篭を設置した場合にも、破損することがなく、長期使用に耐えることができる。
【００４３】
上例では底部支持体２１を円形に固定した構成としたが、その他、円形の底部支持体２１を連結部２５Ａ、２５Ｂから２つ折り可能な構成とすることも可能である。底部支持体２１を広げた状態では円形に固定できるようにし、折り畳んだときには、篭全体がコンパクトに折り畳まれ、持ち運びに便利となる。
【００４４】
本発明に係る分離漁獲用篭は、上述の実施の形態に限らず、本発明の要旨を逸脱しない範囲で、変形、変更した構成をも含むものである。
【符号の説明】
【００４５】
１１、４１、４４・・分離漁獲用篭、１２・・篭本体、１３・・第１分室、１４［１４Ａ，１４Ｂ］・・第２分室、１５・・入口、１６［１６Ａ，１６Ｂ］・・漏斗状部、１７・・スリット部、１８・・出口、２３・・仕切り部
【図１】
2010268752.tif 000003
【図２】
2010268752.tif 000004
【図３】
2010268752.tif 000005
【図４】
2010268752.tif 000006
【図５】
2010268752.tif 000007
【図６】
2010268752.tif 000008
【図７】
2010268752.tif 000009
【図８】
2010268752.tif 000010
【図９】
2010268752.tif 000011
【図１０】
2010268752.tif 000012
【図１１】
2010268752.tif 000013
【図１２】
2010268752.tif 000014
【図１３】
2010268752.tif 000015
【図１４】
2010268752.tif 000016
【図１５】
2010268752.tif 000017